(57)【要約】  【課題】  薄型表示装置を、工場出荷時にスタンド部を折り曲げ可能にして梱包容積を小さくする。  【解決手段】  スタンド支柱の上端に本体背面が固定される薄型表示装置において、上下に二分割されたスタンド支柱８，９と、スタンド支柱８の分割面の軸心部分に突設された連結金具１０と、連結金具１０の先端にスタンド支柱軸方向に形成された長孔１０ｂと、スタンド支柱８，９を互いの分割面で当接して連結金具１０がスタンド支柱９内に挿入された状態で長孔１０ｂの基端側に挿通されてその両端をスタンド支柱９に支持された連結ピン１４と、スタンド支柱８，９を互いの分割面で当接して連結金具１０がスタンド支柱９内に挿入された状態で長孔１０ｂの先端側にスタンド支柱９の外側から抜き差し自在に挿通されてその先端がスタンド支柱９に螺着されるボルト１７，１８とを備える。【選択図】  図１
2005140807.tif 000002
【特許請求の範囲】
【請求項１】
本体背面をスタンドの上端に固定した薄型表示装置において、
前記スタンドの中間に、スタンド下部を前上方へ折り畳み可能に支持するヒンジ部を備えたことを特徴とする薄型表示装置。
【請求項２】
スタンドベース上にスタンド支柱が突設されそのスタンド支柱の上端に本体背面が固定される薄型表示装置において、
前記スタンド支柱を上下二分割して、互いの分割部を長孔と連結ピンを介して回動自在に連結するとともに、互いの分割部を当接した状態で互いのスタンド支柱間をボルト締結して組み立てることを特徴とする薄型表示装置。
【請求項３】
スタンドベース上にスタンド支柱が突設されそのスタンド支柱の上端に本体背面が固定される薄型表示装置において、
上下に二分割されたスタンド支柱と、
該上下いずれか一方のスタンド支柱の分割面の軸心部分に突設された連結金具と、
該連結金具の先端にスタンド支柱軸方向に形成された長孔と、
前記他方のスタンド支柱の分割面側の軸心部に形成されて前記連結金具が挿入される空間と、
前記上下のスタンド支柱を互いの分割面で当接して前記連結金具が前記空間に挿入された状態で前記長孔の基端側に挿通されてその両端を他方のスタンド支柱に支持された連結ピンと、
前記上下のスタンド支柱を互いの分割面で当接して前記連結金具が前記空間に挿入された状態で前記長孔の先端側に他方のスタンド支柱の外側から抜き差し自在に挿通されてその先端が他方のスタンド支柱に螺着されるボルトと、
該ボルトが除去されている状態で前記上下のスタンド支柱の互いの分割面を離間させて前記連結ピンと前記長孔の先端側とで連結された状態で、前記一方のスタンド支柱を少なくとも前方へ９０度の回動をしたときの前記連結金具が干渉する前記他方のスタンド支柱の当接部側に形成された切欠きと、
を備え、前記ボルトが除去されている状態で前記上下のスタンド支柱の互いの分割面を離間させて前記連結ピンを中心にして前記一方のスタンド支柱を前方へ９０度傾けて梱包可能にするとともに、前記上下のスタンド支柱を互いの分割面で当接して前記長孔の先端側に他方のスタンド支柱の外側から前記ボルトを挿入螺着してスタンド支柱を組立可能にしたことを特徴とする薄型表示装置。
【請求項４】
請求項３に記載の薄型表示装置において、
前記連結金具を左右２個配設してそれぞれの長孔に前記連結ピンを共通して挿通するとともに、前記空間を左右２個形成して前記他方のスタンド支柱の外側左右から前記左右の長孔を介して前記左右の空間の間の支柱部分に前記ボルトを螺着したことを特徴とする薄型表示装置。
【請求項５】
請求項３または４に記載の薄型表示装置において、
前記連結金具と前記一方のスタンド支柱とを第２の連結ピンにより回動自在に連結したことを特徴とする薄型表示装置。
【発明の詳細な説明】
【技術分野】
【０００１】
本発明は、スタンドを備えた液晶テレビ等の薄型表示装置に関し、詳しくは工場出荷時にスタンドを折り曲げて梱包容積を小さくすることができる薄型表示装置に関する。
【背景技術】
【０００２】
従来、自立型の液晶テレビとして、図８および図９に示す形態をしたものがある。これは液晶テレビ本体１の背面に連結体２を取り付け、連結体２の下端にスタンド支柱３を取付け、スタンド支柱３をスタンドベース４が支持する構造をしている。連結体２とスタンド支柱３は、図１０および図１１に示されるように、分解可能であり、連結体２の下端の嵌合金具５を、スタンド支柱３の上端の嵌合受け金具６に嵌合して、スタンドベース４の下側からボルト７を挿入し、嵌合金具５に螺着することで、嵌合金具５と嵌合受け金具６が締結される。図１２が嵌合金具５と嵌合受け金具６の締結状態を示す断面図である。このように、スタンド支柱３と液晶テレビ本体１は、分解・組立が可能であるが、通常は、工場出荷前に組み立てられて完成品として出荷されている。そのため梱包時には、液晶テレビ本体１の下方にスタンド支柱３およびスタンドベース４が突出している形状となり、梱包容積が大きくなり、運搬コストが大きくなるという課題があった。なお、その対策として、工場出荷時に、ボルト７を取り外して液晶テレビ本体１とスタンド支柱３を分離して別体のまま梱包し、梱包容積を小さくすることも考えられるが、そうするとユーザがボルト７を嵌合金具５に取付けなければならず、ユーザにも専用の工具を必要とし、ユーザへの負担が大きくなり実現性にとぼしかった。また、薄型表示装置のスタンド部を折り畳み式にして、梱包容積を小さくすることができるものとして、特許文献１および２がすでに提案されている。これらは、工場出荷時にスタンド部を折り畳むことが可能であるとともに、使用時もスタンドを任意の角度に傾けて調節することを可能にするものである。
【特許文献１】特開２０００−５６６９５号公報
【特許文献２】特開２０００−２６７５８１号公報
【発明の開示】
【発明が解決しようとする課題】
【０００３】
このように図８〜図１２に示した従来技術では、梱包容積を小さくするために、工場出荷時にスタンド部を本体から分離することは、ユーザ側に組立の負担をかけるので実施は無理であった。また、特許文献１および２に記載のものは、工場出荷時にスタンド部を折り曲げて畳むことは可能であるものの、使用時にもスタンドを任意の角度に傾けて調節することを目的としているため、複雑な構造のヒンジ部を設けている。そのため部品点数が増してコストが増大し、図８〜図１２に示した従来技術のように、スタンド部の中間に首振り機構を有しないタイプのものにはそのまま適用することはできなかった。そこで、本発明は、スタンド部の中間に首振り機構を有しないタイプの薄型表示装置を、工場出荷時にスタンド部を折り曲げ可能にして梱包容積を小さくすることを目的とした。
【課題を解決するための手段】
【０００４】
上記課題を解決するために、本発明は、本体背面をスタンドの上端に固定した薄型表示装置において、前記スタンドの中間に、スタンド下部を前上方へ折り畳み可能に支持するヒンジ部を備える。すなわち、スタンドベース上にスタンド支柱が突設されそのスタンド支柱の上端に本体背面が固定される薄型表示装置において、前記スタンド支柱を上下二分割して、互いの分割部を長孔と連結ピンを介して回動自在に連結するとともに、互いの分割部を当接した状態で互いのスタンド支柱間をボルト締結して組み立てる。さらに詳しくは、スタンドベース上にスタンド支柱が突設されそのスタンド支柱の上端に本体背面が固定される薄型表示装置において、上下に二分割されたスタンド支柱と、該上下いずれか一方のスタンド支柱の分割面の軸心部分に突設された連結金具と、該連結金具の先端にスタンド支柱軸方向に形成された長孔と、前記他方のスタンド支柱の分割面側の軸心部に形成されて前記連結金具が挿入される空間と、前記上下のスタンド支柱を互いの分割面で当接して前記連結金具が前記空間に挿入された状態で前記長孔の基端側に挿通されてその両端を他方のスタンド支柱に支持された連結ピンと、前記上下のスタンド支柱を互いの分割面で当接して前記連結金具が前記空間に挿入された状態で前記長孔の先端側に他方のスタンド支柱の外側から抜き差し自在に挿通されてその先端が他方のスタンド支柱に螺着されるボルトと、該ボルトが除去されている状態で前記上下のスタンド支柱の互いの分割面を離間させて前記連結ピンと前記長孔の先端側とで連結された状態で、前記一方のスタンド支柱を少なくとも前方へ９０度の回動をしたときの前記連結金具が干渉する前記他方のスタンド支柱の当接部側に形成された切欠きとを備え、前記ボルトが除去されている状態で前記上下のスタンド支柱の互いの分割面を離間させて前記連結ピンを中心にして前記一方のスタンド支柱を前方へ９０度傾けて梱包可能にするとともに、前記上下のスタンド支柱を互いの分割面で当接して前記長孔の先端側に他方のスタンド支柱の外側から前記ボルトを挿入螺着してスタンド支柱を組立可能にした。なお、前記連結金具を左右２個配設してそれぞれの長孔に前記連結ピンを共通して挿通するとともに、前記空間を左右２個形成して前記他方のスタンド支柱の外側左右から前記左右の長孔を介して前記左右の空間の間の支柱部分に前記ボルトを螺着することも可能である。また、前記連結金具と前記一方のスタンド支柱とを第２の連結ピンにより回動自在に連結することも可能である。
【発明の効果】
【０００５】
以上述べたように本発明によれば、スタンドベース上にスタンド支柱が突設されそのスタンド支柱の上端に本体背面が固定される薄型表示装置において、前記スタンド支柱を上下二分割して、互いの分割部を長孔と連結ピンを介して回動自在に連結するとともに、互いの分割部を当接した状態で互いのスタンド支柱間をボルト締結して組み立てるようにしたことで、工場出荷時にスタンド支柱を折り曲げて梱包容積を小さくし輸送コストを低減することが可能となる。
【発明を実施するための最良の形態】
【０００６】
以下、図に基づいて本発明の実施形態を説明する。
図１は本発明を液晶テレビに適用した場合に工場出荷時にスタンド支柱を折り曲げた状態を示す側面図であり、スタンド支柱部分を破断して示してある。図２は図１の状態からスタンド支柱の傾きを元に戻した状態を示す側面図である。図３は図２のスタンド支柱以下を示す正面図である。図４は図２の状態からスタンド支柱の分割面を互いに略当接させた状態の断面を示す側面図である。図５は図４のスタンド支柱以下を示す正面図である。図６はスタンド支柱の部分を分解して示した側面図である。図７は図６のスタンド支柱以下を分解して示した正面図である。
【０００７】
本発明に係る液晶テレビは、図６および図７に示されるように、液晶テレビ本体１の背面に連結体２を取り付け、連結体２の下端に嵌合金具５が突設されている。液晶テレビ本体１を支えるスタンド支柱は、スタンド支柱上８とスタンド支柱下９とに二分されている。スタンド支柱上８の上端内側には嵌合受け金具６が設けられており、上方から嵌合金具５を嵌合してスタンド支柱上８の内側下方からボルト７を挿入し、嵌合金具５に螺着することで、嵌合金具５と嵌合受け金具６が締結される。スタンド支柱下９の下端にはスタンドベース４が固定されている。
【０００８】
スタンド支柱上８は角パイプ状に形成され、下端両側面に透孔８ａが形成されている。このスタンド支柱上８の下端内側にコ字形をした連結金具１０を下方から挿入し、連結金具１０の上端の貫通孔１０ａと透孔８ａとの間に連結ピン１１を挿入し、その両端に止め輪１２，１３を取り付けることで、連結金具１０がスタンド支柱上８に回動自在に連結される。スタンド支柱下９の上端両側面にそれぞれ透孔９ａ，９ｂが形成されるとともに、スタンド支柱下９の上端の前後面の両側に、切欠き９ｃ，９ｄが形成されている。このスタンド支柱下９の上端部に上方から連結金具１０が挿入され、連結金具１０の下部に形成された長孔１０ｂと透孔９ａとの間に連結ピン１４を挿入し、その両端に止め輪１５，１６を取り付けることで、連結金具１０がスタンド支柱下９に回動自在に連結される。
【０００９】
この状態が図２および図３に示される状態であり、スタンド支柱上８の下端分割面とスタンド支柱下９の上端分割面が離間し、同時に連結金具１０の長孔１０ｂの下端に連結ピン１４が係止されているため、連結ピン１４を支軸にしてスタンド支柱下９およびスタンドベース４が回動可能である。ここで連結ピン１４を支軸にして、スタンド支柱下９およびスタンドベース４を前上方に９０度回動すると、図１の状態となり、連結金具１０の両側の腕部分はスタンド支柱下９の切欠き９ｃ，９ｄに進入する。この姿勢のまま液晶テレビを梱包箱に収納すると、梱包容積が小さくなり輸送コストが低減される。
【００１０】
この状態の液晶テレビを購入したユーザは、梱包箱から液晶テレビを取り出すと、スタンド支柱下９およびスタンドベース４を下後方に９０度回動して、図２および図３の状態に戻す。次に、連結金具１０を長孔１０ｂの分、スタンド支柱下９内に押し込む。すると、図４および図５の状態となり、スタンド支柱上８の下端分割面とスタンド支柱下９の上端分割面が略当接する。ここで、図５に示されるように、スタンド支柱下９の両側面の透孔９ｂからボルト１７，１８を挿入し、さらに長孔１０ｂ内を挿通し、スタンド支柱下９の軸部分に形成されている雌ねじ穴（図示せず）に螺着し、スタンド支柱上８とスタンド支柱下９を締結する。これで組立が完成してアンテナケーブルや電源を接続すれば視聴可能となる。
【００１１】
なお、図４および図５では、スタンド支柱上８の下端分割面とスタンド支柱下９の上端分割面を説明のため僅かに離間して示されているが、上下分割面は隙間なく当接することが好ましい。また、スタンド支柱上８と連結金具１０は、連結ピン１１を介して回動自在に連結されているが、スタンド支柱上８と連結金具１０を一体構造にすることも可能である。さらには、連結金具１０はスタンド支柱上８側に相対移動がないように取り付けられているが、連結金具１０をスタンド支柱下９側に相対移動がないように取り付けることも可能である。すなわち、スタンド支柱の分割面の構造を上下反対にすることが可能である。
【産業上の利用可能性】
【００１２】
本発明は、液晶テレビ以外には、スタンドを備えた液晶ディスプレイ、さらには、スタンドを備えたＰＤＰテレビおよびＰＤＰディスプレイ等への利用が可能である。
【図面の簡単な説明】
【００１３】
【図１】本発明を液晶テレビに適用した場合のスタンド支柱を折り曲げた状態を示す側面図である。
【図２】図１の状態からスタンド支柱の傾きを元に戻した状態を示す側面図である。
【図３】図２のスタンド支柱以下を示す正面図である。
【図４】図２の状態からスタンド支柱の分割面を互いに略当接させた状態を示す側面図である。
【図５】図４のスタンド支柱以下を示す正面図である。
【図６】スタンド支柱の部分を分解して示した側面図である。
【図７】図６のスタンド支柱以下を示す正面図である。
【図８】従来例を示す正面図である。
【図９】従来例を示す側面図である。
【図１０】従来例の分解した状態を示す側面図である。
【図１１】従来例の分解した状態を示す縦断面図である。
【図１２】従来例の縦断面図である。
【符号の説明】
【００１４】
１  液晶テレビ本体
２  連結体
４  スタンドベース
５  嵌合金具
６  嵌合受け金具
７  ボルト
８  スタンド支柱上
８ａ  透孔
９  スタンド支柱下
９ａ，９ｂ  透孔
９ｃ，９ｄ  切欠き
１０  連結金具
１０ａ  貫通孔
１０ｂ  長孔
１１  連結ピン
１２，１３  止め輪
１４  連結ピン
１５，１６  止め輪
１７，１８  ボルト
【図１】
2005140807.tif 000003
【図２】
2005140807.tif 000004
【図３】
2005140807.tif 000005
【図４】
2005140807.tif 000006
【図５】
2005140807.tif 000007
【図６】
2005140807.tif 000008
【図７】
2005140807.tif 000009
【図８】
2005140807.tif 000010
【図９】
2005140807.tif 000011
【図１０】
2005140807.tif 000012
【図１１】
2005140807.tif 000013
【図１２】
2005140807.tif 000014